(57)【要約】【課題】同一番組を受信する物理チャンネルが複数あるか否かの正確な判定が困難だった。【解決手段】放送信号を受信可能な各物理チャンネルについての情報を記録したチャンネルマップデータであって、各物理チャンネルについて少なくとも、仮想チャンネルのメインチャンネル番号と、同仮想チャンネルのサブチャンネル番号と、放送局名と、番組内容を示した所定の内容情報とを記録したチャンネルマップデータを生成し、上記チャンネルマップデータに物理チャンネル毎に記録された各種情報のうち少なくとも２種類以上の情報に基づいて、同一番組を受信する物理チャンネルが複数存在する否か判定し、同一番組を受信する物理チャンネルが複数存在すると判定された場合には、当該同一番組を受信する複数の物理チャンネルのうち一つを除いた他のチャンネルについては、外部からの選局指示に対して選局不能な状態に設定する。【選択図】図２
2008306629.tif 000002
【特許請求の範囲】
【請求項１】
異なるチャンネルでそれぞれ放送信号を受信可能な場合に所定の基準に基づいて、当該異なるチャンネルのうち何れか一つのチャンネルを選局可能な状態に設定するチャンネル設定装置において、
放送信号を受信可能な各物理チャンネルについての情報を記録したチャンネルマップデータであって、各物理チャンネルについて少なくとも、仮想チャンネルのメインチャンネル番号と、同仮想チャンネルのサブチャンネル番号と、放送局名と、番組内容を示した所定の内容情報とを記録したチャンネルマップデータを生成するチャンネルマップデータ生成手段と、
上記チャンネルマップデータに物理チャンネル毎に記録された各種情報のうち少なくとも２種類以上の情報に基づいて、同一番組を受信する物理チャンネルが複数存在する否か判定する同一番組判定手段と、
同一番組を受信する物理チャンネルが複数存在すると判定された場合には、当該同一番組を受信する複数の物理チャンネルのうち一つを除いた他のチャンネルについては、外部からの選局指示に対して選局不能な状態に設定する物理チャンネル選別手段とを備えることを特徴とするチャンネル設定装置。
【請求項２】
上記物理チャンネル選別手段は、上記同一番組を受信する複数の物理チャンネルのうち一つを除いた他のチャンネルについて、外部からのチャンネルアップ／ダウンによる選局指示を受けたときに選局不能な状態に設定することを特徴とする請求項１に記載のチャンネル設定装置。
【請求項３】
異なるチャンネルでそれぞれテレビジョン放送信号を受信可能な場合に所定の基準に基づいて、当該異なるチャンネルのうち何れか一つのチャンネルを選局可能な状態に設定するチャンネル設定処理を実行するテレビジョンにおいて、
所定の順序で指定された各物理チャンネルに対応する各周波数帯域においてテレビジョン放送信号を順次受信するチューナ部と、
チューナ部が受信したテレビジョン放送信号を復号するとともにテレビジョン放送信号に含まれている所定のチャンネル情報および番組情報を抽出するデコード部と、
当該抽出されたチャンネル情報および番組情報に基づいて、テレビジョン放送信号が受信された各物理チャンネルについての情報を記録したチャンネルマップデータであって、各物理チャンネルについて、仮想チャンネルのメインチャンネル番号と、同仮想チャンネルのサブチャンネル番号と、放送局名と、番組内容のジャンルを示したジャンル情報とを記録したチャンネルマップデータを生成し所定の記憶媒体に保存し、当該保存したチャンネルマップデータを参照することにより、メインチャンネル番号と、サブチャンネル番号と、放送局名と、ジャンル情報とが一致する物理チャンネルが複数存在する否か判定することにより、同一番組を受信する物理チャンネルが複数存在するか否か判定し、同一番組を受信する物理チャンネルが複数存在すると判定した場合には、当該同一番組を受信する複数の物理チャンネルのうち、番号の最も若い物理チャンネルを除いた他のチャンネルについては、外部からのチャンネルアップ／ダウンによる選局指示を受けたときに選局不能な状態に設定するマイクロコンピュータと、を備えることを特徴とするテレビジョン。
【発明の詳細な説明】
【技術分野】
【０００１】
本発明は、放送信号を受信可能なチャンネルを設定するチャンネル設定装置およびテレビジョンに関する。
【背景技術】
【０００２】
テレビジョンにおいて放送信号を受信し、番組を視聴する場合、ある地域においては、同じ内容の番組を異なる周波数帯域で受信可能な場合がある。
【０００３】
各選局チャンネルの放送局に対し、その放送局と同じ放送を行う放送局（本局と中継局との関係）があるかどうかを、選局チャンネルと放送局との関係、および本局と中継局との関係を予め定めたテーブルを参照して判断し、本局と中継局との関係がある場合には、当該両放送局のうち受信レベルの高い方の放送局に対してガイドチャンネルを設定する、ガイドチャンネル設定方法が知られている（特許文献１参照。）。
また、チャンネル登録処理の例として、選局したチャンネルに対応する搬送周波数帯を受信したときに発生するＲＦ‐ＡＧＣ電圧としきい値との比較に基づいて、適切に受信可能な信号強度のテレビ電波である否か判断し、適切な信号強度である場合にチャンネルデータテーブルに上記搬送周波数を記憶するテレビジョンが知られている（特許文献２参照。）。
【特許文献１】特開平１０‐２２４７０５号公報
【特許文献２】特開２００６‐３３３１２６号公報
【発明の開示】
【発明が解決しようとする課題】
【０００４】
上述したように同一番組を異なる周波数帯域によって受信可能であると、ユーザがチャンネルの選局操作をするときに、複数のチャンネルにて同一番組がテレビ画面に表示されてしまい、ユーザに煩わしさを与えてしまう。特に、チャンネルのアップ／ダウンキーの操作で番組を選択する際にユーザのキー操作の回数が無駄に増えてしまう。
ここで上記文献１では、本局と本局の電波を中継する中継局との関係にある各放送局からテレビ放送を受信可能な場合に、何れか一つの局のチャンネルをプリセットしている。しかし、近年のデジタルテレビジョン放送では、同じ時間帯に同じ放送局から一つのコンテンツ（番組）だけが供給されるとは限らない。そのため、異なる周波数帯域にそれぞれ対応した複数の物理チャンネルで受信した各番組が同一番組であるか否かの判断は、単に各物理チャンネルに対応する放送局の関係性（あるいは共通性）だけを見て行うことはできない。
【０００５】
本発明は上記課題に鑑みてなされたもので、ユーザに選局させる必要性のない物理チャンネルが存在するか否かを正確に判別し、チャンネル選局操作時の煩わしさを解消してユーザに快適性を与えることの可能なチャンネル設定装置およびテレビジョンを提供することを目的とする。
【課題を解決するための手段】
【０００６】
上記目的を達成するために、本発明のチャンネル設定装置は、異なるチャンネルでそれぞれ放送信号を受信可能な場合に所定の基準に基づいて、当該異なるチャンネルのうち何れか一つのチャンネルを選局可能な状態に設定する。チャンネルマップデータ生成手段は、放送信号を受信可能な各物理チャンネルについての情報を記録したチャンネルマップデータであって、各物理チャンネルについて少なくとも、仮想チャンネルのメインチャンネル番号と、同仮想チャンネルのサブチャンネル番号と、放送局名と、番組内容を示した所定の内容情報とを記録したチャンネルマップデータを生成する。同一番組判定手段は、上記チャンネルマップデータに物理チャンネル毎に記録された各種情報のうち少なくとも２種類以上の情報に基づいて、同一番組を受信する物理チャンネルが複数存在する否か判定する。物理チャンネル選別手段は、同一番組を受信する物理チャンネルが複数存在すると判定された場合には、当該同一番組を受信する複数の物理チャンネルのうち一つを除いた他のチャンネルについては、外部からの選局指示に対して選局不能な状態に設定する。
【０００７】
つまり本発明によれば、上記チャンネルマップデータに物理チャンネル毎に記録された各種情報のうち少なくとも２種類以上の情報に基づいて、同一番組を受信する複数の物理チャンネルの有無を判定するため、判定結果が極めて正確である。その結果、ユーザに選局させる必要性の無い物理チャンネルは選局不能にし、かつ、選局可能な状態とすべき各物理チャンネル（互いに異なる番組を受信する物理チャンネル）は選局可能にすることができる。
【０００８】
上記物理チャンネル選別手段は、上記同一番組を受信する複数の物理チャンネルのうち一つを除いた他のチャンネルについて、外部からのチャンネルアップ／ダウンによる選局指示を受けたときに選局不能な状態に設定するとしてもよい。かかる構成によれば、ユーザがチャンネルアップ／ダウンの選局操作をするときに、選局する必要性の無い物理チャンネルをスキップすることができるので、チャンネル選局操作に要する時間も短縮され、ユーザに快適性を与えることができる。
【０００９】
上記構成の全てを含みつつ、さらに具体的な構成として、異なるチャンネルでそれぞれテレビジョン放送信号を受信可能な場合に所定の基準に基づいて、当該異なるチャンネルのうち何れか一つのチャンネルを選局可能な状態に設定するチャンネル設定処理を実行するテレビジョンにおいて、所定の順序で指定された各物理チャンネルに対応する各周波数帯域においてテレビジョン放送信号を順次受信するチューナ部と、チューナ部が受信したテレビジョン放送信号を復号するとともにテレビジョン放送信号に含まれている所定のチャンネル情報および番組情報を抽出するデコード部と、当該抽出されたチャンネル情報および番組情報に基づいて、テレビジョン放送信号が受信された各物理チャンネルについての情報を記録したチャンネルマップデータであって、各物理チャンネルについて、仮想チャンネルのメインチャンネル番号と、同仮想チャンネルのサブチャンネル番号と、放送局名と、番組内容のジャンルを示したジャンル情報とを記録したチャンネルマップデータを生成し所定の記憶媒体に保存し、当該保存したチャンネルマップデータを参照することにより、メインチャンネル番号と、サブチャンネル番号と、放送局名と、ジャンル情報とが一致する物理チャンネルが複数存在する否か判定することにより、同一番組を受信する物理チャンネルが複数存在するか否か判定し、同一番組を受信する物理チャンネルが複数存在すると判定した場合には、当該同一番組を受信する複数の物理チャンネルのうち、番号の最も若い物理チャンネルを除いた他のチャンネルについては、外部からのチャンネルアップ／ダウンによる選局指示を受けたときに選局不能な状態に設定するマイクロコンピュータとを備える構成を把握することができる。
【００１０】
このような、テレビジョンというより具体的な製品においても、上記チャンネル設定装置と同様の作用・効果を発揮する。
また上記では、チャンネル設定装置やテレビジョンという物のカテゴリーによって本発明の技術的思想を説明した。これに加え、チャンネル設定装置やテレビジョンが備える各手段や構成に対応した処理工程からなる方法の発明や、チャンネル設定装置やテレビジョンが備える各手段や構成に対応した処理機能をコンピュータに実行させるプログラムの発明も把握可能であることは言うまでも無い。
【発明を実施するための最良の形態】
【００１１】
以下の順序に従って、本発明の実施形態を説明する。
（１）テレビジョンの概略構成
（２）チャンネル設定処理
（３）まとめ
【００１２】
（１）テレビジョンの概略構成
図１は、本実施形態にかかるテレビジョン（以下、ＴＶと略す。）１１０の概略構成をブロック図により示している。ＴＶ１１０はその機能の一部として、チャンネル設定装置の役割を果たすものでもある。
ＴＶ１１０においては、チューナ部２０が、マイクロコンピュータ８０が指示するチャンネルに対応する所定の周波数帯域のテレビジョン放送信号（デジタル放送信号またはアナログ放送信号）をアンテナ１０を介して受信する。チューナ部２０は、受信した放送信号を中間周波信号（ＩＦ）に周波数変換する。デジタル放送信号から周波数変換された信号はデモジュレータ部４０に出力され、アナログ放送信号から周波数変換された信号はアナログデコード部３０に出力される。
【００１３】
アナログデコード部３０は、入力された信号から映像信号（および音声信号）を復号化（デコード）し、復号後の映像信号をスケーラ７０に出力する。
デモジュレータ部４０は、入力された信号をＡ／Ｄ変換するとともに、変換後のデジタル信号からトランスポートストリーム（ＴＳ）を抽出する。またデモジュレータ部４０は、ＴＳのスクランブルを解除する処理を行なう。スクランブルが解除されたＴＳは、複数のトランスポートパケットが多重化された状態であり、各トランスポートパケットには映像信号や音声信号や各種データが格納されている。デマルチプレックス部５０は、マイクロコンピュータ８０が指示するチャンネルに対応する映像信号（および音声信号）をＴＳから抽出する。
【００１４】
ＴＳから抽出された映像信号（および音声信号）はＭＰＥＧ規格に従って符号化（エンコード）された状態であるため、デコード部６０は映像信号（および音声信号）をＭＰＥＧ規格に従って復号化（デコード）する。デコード部６０は、復号化した映像信号をスケーラ７０に出力する。スケーラ７０は、入力された映像信号に対して、ディスプレイ１２０の画素数に応じたスケーリング処理（解像度変換処理）や、色補正処理、エッジ強調処理などの各種画像処理を必要に応じて実行可能であり、１画面分の画像を表したフレーム画像データを生成し、ディスプレイ１２０に所定のタイミングで出力する。ディスプレイ１２０は、フレーム画像データに基づいて駆動することにより画面に映像を表示する。
【００１５】
マイクロコンピュータ８０は、ＣＰＵ、ＲＯＭ、ＲＡＭ等からなり、ＲＯＭに保存されたプログラムに基づいてＴＶ１１０の各部を制御する。マイクロコンピュータ８０には上述した各部の他にも、記憶媒体９０や外部信号受信部１００が接続されている。記憶媒体９０は、例えば、後述のチャンネルマップデータを保存するメモリとして用いられる。外部信号受信部１００は、外部のリモートコントロール装置（不図示）から送信される指示信号としての赤外線信号を受光し、これをＡ／Ｄ変換した上でマイクロコンピュータ８０に出力する。マイクロコンピュータ８０は、リモートコントロール装置からの指示信号に応じて、ＴＶ１１０の各部に対する制御を行うことが可能である。図示は省略しているが、ＴＶ１１０は他にも、上記デコードされた音声信号に基づく音声出力を行うための音声信号回路やスピーカ、ＴＶ１１０の各部に駆動用電源を供給するための電源回路など、ＴＶとしての一般的な各構成を備える。
【００１６】
（２）チャンネル設定処理
図２は、ＴＶ１１０が実行するチャンネル設定処理の一例をフローチャートにより示している。当該処理は、チャンネルマップデータを更新する処理であり、所定の期間毎に定期的に、或いはユーザからの指示等に応じて実行することができる。
ステップＳ（以下、ステップの記載は省略。）２００では、マイクロコンピュータ８０は、その時点で記憶媒体９０に保存してあるチャンネルマップデータの内容をクリアする。つまり、チャンネルマップデータの記録用に確保された記憶媒体９０の所定領域内の情報を消去する。
【００１７】
Ｓ２０５では、マイクロコンピュータ８０は、テレビジョン放送信号の各周波数帯域に対応付けられた各物理チャンネルのうち１つの物理チャンネル（物理ｃｈ）を指定する。例えば、周波数帯域の低いチャンネルから順に１つ選択する。
Ｓ２１０では、マイクロコンピュータ８０は、上記指定した物理チャンネルをチューナ部２０に指示し、チューナ部２０に当該物理チャンネルに対応する周波数帯域において放送信号の受信を実行させ、放送信号が受信できたか否か（例えば、受信信号のレベルが所定レベルを超えたか否か）判断する。
【００１８】
放送信号の獲得（受信）に成功した場合には、Ｓ２１５においてマイクロコンピュータ８０は、上記指定した物理チャンネルのチャンネル番号を、チャンネルマップデータの記録用に確保された記憶媒体９０の上記所定領域に登録する。またＳ２１５では、物理チャンネルについての各種情報も上記所定領域に登録する。本実施形態では、物理チャンネルについて少なくとも、いわゆる仮想チャンネルのメインチャンネル番号と、仮想チャンネルのサブチャンネル番号と、放送局名と、番組内容を示した所定の内容情報とを登録する。デジタル放送においては、１つの物理チャンネル内で複数の番組を多重化して放送することができるため、物理チャンネル内の番組に対してはそれらを区別するために仮想チャンネルという数字が割り当てられ、細分化されている。仮想チャンネルの番号は、メインチャンネル番号とサブチャンネル番号の組み合わせからなる。
【００１９】
そこでＳ２１５では、マイクロコンピュータ８０はデコード部６０に指示をすることにより、上記復号処理の過程でＴＳからチャンネル情報、例えばＰＳＩＰ（Program System Information Protocol）規格に基づくＶＣＴ（Virtual Channel Table）を抽出させる。かかるチャンネル情報（ＶＣＴ）には通常、仮想チャンネルの番号つまりメインチャンネル番号とサブチャンネル番号とが含まれているため、ＶＣＴを参照してメインチャンネル番号とサブチャンネル番号とを取得し、これらを上記登録した物理チャンネルに対応付けて記憶媒体９０に記録する。
【００２０】
Ｓ２１５では上記処理と併せて、マイクロコンピュータ８０はデコード部６０に指示をすることにより、上記復号処理の過程でＴＳから番組情報を抽出させる。番組情報としては、例えばＰＳＩＰ規格に基づく電子番組ガイド（ＥＰＧ）にかかるデータが考えられる。マイクロコンピュータ８０は、抽出された上記番組情報を参照することにより、上記取得した仮想チャンネルに対応する放送局名と、番組内容を示した所定の内容情報（本実施形態では番組内容を示したジャンル情報）とを取得し、この取得した情報を上記登録した物理チャンネルに対応付けて記憶媒体９０に記録する。ただし、仮想チャンネルのメインチャンネル番号と、仮想チャンネルのサブチャンネル番号と、放送局名と、番組内容を示した所定の内容情報との具体的取得方法は、上述したものに限られない。
【００２１】
Ｓ２２０では、マイクロコンピュータ８０は、全ての物理チャンネルを１回ずつ指定してＳ２１０，２１５の処理を行なったか否か判断し、未指定の物理チャンネルがあれば、Ｓ２０５に戻り、新たに指定した物理チャンネルについてＳ２１０，２１５の処理を繰り返す。一方、未指定の物理チャンネルが残存していない場合には、Ｓ２２５以降の処理に移る。
Ｓ２２０までの処理によって、ＴＶ１１０が放送信号を受信可能な各物理チャンネルについて各種情報（仮想チャンネルのメインチャンネル番号と、仮想チャンネルのサブチャンネル番号と、放送局名と、内容情報）を記録したデータ、すなわちチャンネルマップデータが記憶媒体９０に生成されたことになる。この意味で、マイクロコンピュータ８０あるいはＴＶ１１０は、その機能の一部としてチャンネルマップデータ生成手段を実現していると言える。
【００２２】
図３は、チャンネルマップデータＴの一例を示している。
なおチャンネルマップデータＴは、上述した各種情報に加え、ユーザによる選局の対象とし得るか否かを定めた選局可否情報（「ＡＤＤ」または「ＤＥＬ（delete）」）をも有する。選局可否情報を、選局可能を意味する「ＡＤＤ」に設定するか、選局不能を意味する「ＤＥＬ」に設定するかはＳ２２５以降の処理によって決めるが、Ｓ２２０の時点では、全ての物理チャンネルについての選局可否情報はデフォルトの設定（「ＡＤＤ」）であるものとする。
【００２３】
Ｓ２２５では、マイクロコンピュータ８０は、Ｓ２２０までの処理によって生成したチャンネルマップデータから１つの物理チャンネルを選択し、当該選択した物理チャンネルに対応する各情報をチャンネルマップデータから読み出す。便宜上、Ｓ２２５で読み出す情報をＤａｔａＢと呼ぶ。Ｓ２２５では、当該フローチャート開始後であって、その時点でまだＤａｔａＢの読み出し対象として選択していない物理チャンネルのうち番号が最も若く、かつ、選局可否情報が「ＤＥＬ」に設定されていない物理チャンネルを選択する。従って、当該フローチャートの開始後、初めてＳ２２５に進んだ場合には、図３のチャンネルマップデータＴに従えば、物理チャンネル“３”を選択し、これについての各情報を読み出す。
【００２４】
Ｓ２３０では、マイクロコンピュータ８０は、チャンネルマップデータから、Ｓ２２５で情報を読み出した物理チャンネルとは別の物理チャンネルを選択し、当該選択した物理チャンネルに対応する各情報をチャンネルマップデータから読み出す。便宜上、Ｓ２３０で読み出す情報をＤａｔａＣと呼ぶ。Ｓ２３０では、直近のＳ２２５以後であって、その時点でまだＤａｔａＣの読み出し対象として選択していない物理チャンネルのうち、直近のＳ２２５で選択した物理チャンネルより大きい番号の中で最も若く、かつ、選局可否情報が「ＤＥＬ」に設定されていない物理チャンネルを選択する。従って、当該フローチャートの開始後、初めてＳ２３０に進んだ場合には、図３のチャンネルマップデータＴに従えば、物理チャンネル“４”を選択し、これについての各情報を読み出す。
【００２５】
Ｓ２３５では、マイクロコンピュータ８０は、直近のＳ２２５で読み出したＤａｔａＢの放送局名と直近のＳ２３０で読み出したＤａｔａＣの放送局名とを対比し一致するか否か判断する。一致する場合にはＳ２４０に進み、一致しない場合にはＳ２５０に進む。
Ｓ２４０では、マイクロコンピュータ８０は、直近のＳ２２５で読み出したＤａｔａＢの内容情報（ジャンル情報）と直近のＳ２３０で読み出したＤａｔａＣの内容情報（ジャンル情報）とを対比し一致するか否か判断する。一致する場合にはＳ２４５に進み、一致しない場合にはＳ２５０に進む。
【００２６】
Ｓ２４５では、マイクロコンピュータ８０は、直近のＳ２３０で読み出したＤａｔａＣにかかる物理チャンネルについての選択可否情報の設定を「ＤＥＬ」に変更する。つまり、上記のようにチャンネルマップデータを参照した結果、直近のＳ２３０で選択した物理チャンネルについては、それと番組が同一の物理チャンネルが他に存在すると判断されたため、選局の必要性が無いと言え、選局不能な状態に設定する。一方、Ｓ２３５，２４０のいずれかで“Ｎｏ”の判断をした場合は、直近のＳ２２５で選択した物理チャンネルと直近のＳ２３０で選択した物理チャンネルとは同一番組であると言えないため、直近のＳ２３０で選択した物理チャンネルについて選局可否情報の設定は変更しない（「ＡＤＤ」のまま）。
【００２７】
Ｓ２５０では、直近のＳ２２５後において、ＤａｔａＣの読み出し対象として選択できる物理チャンネルの全てを選択し終えたか否か判断し、未選択のものがあればＳ２３０に戻り、新たにＤａｔａＣの読み出し対象として物理チャンネルを選択し、選択した物理チャンネルに対応する各情報をＤａｔａＣとして読み出し、Ｓ２３５以降の処理を繰り返す。一方、直近のＳ２２５後において、ＤａｔａＣの読み出し対象として選択できる物理チャンネルの全てを選択し終えている場合には、Ｓ２５５に進む。
【００２８】
Ｓ２５５では、当該フローチャート開始後に、ＤａｔａＢの読み出し対象として選択できる物理チャンネルの全てを選択し終えたか否か判断し、未選択のものがあればＳ２２５に戻り、新たにＤａｔａＢの読み出し対象として物理チャンネルを選択し、選択した物理チャンネルに対応する各情報をＤａｔａＢとして読み出し、Ｓ２３０以降の処理を繰り返す。一方、当該フローチャート開始後に、ＤａｔａＢの読み出し対象として選択できる物理チャンネルの全てを選択し終えている場合には、当該フローチャートを終了する。これにより、チャンネルマップデータの更新が完了する。この意味で、マイクロコンピュータ８０あるいはＴＶ１１０は、その機能の一部として、同一番組判定手段と物理チャンネル選別手段とを実現していると言える。
【００２９】
このように、チャンネルマップデータに登録されている各物理チャンネルの中に、同一番組を受信する物理チャンネルが複数存在する場合には、同一番組を受信する各物理チャンネルのうち番号の最も若い物理チャンネルを除いた他のチャンネルについては、選択可否情報の設定を「ＤＥＬ」に変更する。図３は、図２の処理に従って物理チャンネル“３”と物理チャンネル“８”とが同一番組を受信するものでありかつ物理チャンネル“５”と物理チャンネル“７”とが同一番組を受信するものである、と判定された例であり、この場合、物理チャンネル“７”および物理チャンネル“８”について、選局可否情報の設定が「ＤＥＬ」に変更される。
【００３０】
上記チャンネル設定処理後における作用について説明する。
ユーザは、ＴＶ１１０の視聴時において、リモートコントロール装置などのチャンネルアップ／ダウンキーを操作することによりマイクロコンピュータ８０に、チャンネルのアップまたはダウンによる切り替えを指示することができる。マイクロコンピュータ８０は、チャンネルのアップ／ダウンの指示を受け付けた場合には、そのとき記憶媒体９０に保存されているチャンネルマップデータを参照し、選局可否情報が「ＡＤＤ」に設定されている物理チャンネルだけを対象としたチャンネルアップ／ダウンによる切替を、チューナ部２０に実行させる。従って、図３の例で言えば、物理チャンネル“７”，“８”は、チャンネルアップ／ダウンの操作によるチャンネル切替の際に切替対象から除外される（スキップされる）ことになる。
【００３１】
図４は、ＴＶ１１０が実行するチャンネル設定処理の別の例をフローチャートにより示している。図４のＳ３００〜Ｓ３３０，Ｓ３６０，Ｓ３６５は、図２のＳ２００〜Ｓ２３０，Ｓ２５０，Ｓ２５５の処理と同じであるため、説明は省略する。
上記図２にかかる実施例では、番組が同一であるか否かの判断を、放送局および内容情報が一致するか否かによって行っていたが、図４の実施例では、さらに番組同一の判断要素を増やす。つまり、Ｓ３３５では、マイクロコンピュータ８０は、直近のＳ３２５で読み出したＤａｔａＢのメインチャンネル番号と直近のＳ３３０で読み出したＤａｔａＣのメインチャンネル番号とを対比し一致するか判断し、一致する場合にはＳ３４０に進み、一致しない場合にはＳ３６０に進む。
【００３２】
Ｓ３４０では、マイクロコンピュータ８０は、直近のＳ３２５で読み出したＤａｔａＢのサブチャンネル番号と直近のＳ３３０で読み出したＤａｔａＣのサブチャンネル番号とを対比し一致するか判断し、一致する場合にはＳ３４５に進み、一致しない場合にはＳ３６０に進む。Ｓ３４５では、マイクロコンピュータ８０は、直近のＳ３２５で読み出したＤａｔａＢの放送局名と直近のＳ３３０で読み出したＤａｔａＣの放送局名とを対比し一致するか判断し、一致する場合にはＳ３５０に進み、一致しない場合にはＳ３６０に進む。Ｓ３５０では、マイクロコンピュータ８０は、直近のＳ３２５で読み出したＤａｔａＢの内容情報（ジャンル情報）と直近のＳ３３０で読み出したＤａｔａＣの内容情報（ジャンル情報）とを対比し一致するか判断し、一致する場合にはＳ３５５に進み、一致しない場合にはＳ３６０に進む。
【００３３】
Ｓ３５５では、マイクロコンピュータ８０は、直近のＳ３３０で読み出したＤａｔａＣにかかる物理チャンネルについての選択可否情報の設定を「ＤＥＬ」に変更する。つまり、チャンネルマップデータを参照した結果、直近のＳ３３０で選択した物理チャンネルについては、それと番組が同一の物理チャンネルが他に存在すると判断されたため、選局不能な状態に設定する。一方、Ｓ３３５〜Ｓ３５０のいずれかで“Ｎｏ”の判断をした場合は、直近のＳ３２５で選択した物理チャンネルと直近のＳ３３０で選択した物理チャンネルとは同一番組ではないと判断し、直近のＳ３３０で選択した物理チャンネルについて選局可否情報の設定は変更しない（「ＡＤＤ」のまま）。
【００３４】
図５は、図４の実施例を適用した場合に最終的に得られるチャンネルマップデータＴ´を示している。図５においては、物理チャンネル“３”と物理チャンネル“８”とが同一番組を受信するものと判定され、この場合、物理チャンネル“８”について選局可否情報の設定が「ＤＥＬ」に変更される。従って、かかるチャンネルマップデータＴ´を生成した場合、マイクロコンピュータ８０は、チャンネルのアップ／ダウンの指示を受け付けた際には、チャンネルマップデータＴ´を参照し、物理チャンネル“８”をチャンネルアップ／ダウンの操作によるチャンネル切替の対象から除外する（チューナ２０に物理チャンネル８を除外したチャンネルアップ／ダウンの切替を実行させる。）。
【００３５】
なお、チャンネルマップデータに記録された物理チャンネル中に同一番組を受信するものがあるか否かの判断は、図２，４に示した例に限られず、チャンネルマップデータに記録されている各情報（仮想チャンネルのメインチャンネル番号、仮想チャンネルのサブチャンネル番号、放送局名、内容情報）のうち２種類以上の情報について一致するか否かを判断することにより行うことができる。
【００３６】
（３）まとめ
このように本実施形態によれば、各周波数帯域をオートスキャンしてテレビジョン放送信号を獲得した各物理チャンネルについて、仮想チャンネルのメインチャンネル番号、仮想チャンネルのサブチャンネル番号、放送局名、内容情報などの各情報を記録したチャンネルマップデータを、テレビジョン放送信号の復号結果から抽出したチャンネル情報や番組情報に基づいて生成し、当該生成したチャンネルマップデータ中に、同一番組を受信する物理チャンネルが複数登録されているか否かを、物理チャンネル間で上記各情報のうち少なくとも２種類以上の情報が一致するか否かによって判定し、同一番組を受信する物理チャンネルが複数登録されている場合には、同一番組にかかるもののうち一つの物理チャンネル（例えば、最もチャンネル番号が若い物理チャンネル）を除いた他の物理チャンネルについては、選局可否情報を「ＤＥＬ」に設定し、外部からのチャンネルアップ／ダウンの指示に対しては、上記「ＤＥＬ」に設定された物理チャンネルを選局対象から除いた状態でチャンネル切替を行う。
【００３７】
つまり、ユーザがリモートコントロール装置などのチャンネルアップ／ダウンキーを操作したとき、同一番組を他の物理チャンネルでも受信可能であるために選局する必要性のない物理チャンネルについては自動的に選局対象から外されることとなる。よって、チャンネルアップ／ダウンキーで選局するチャンネル数が少なくなり、ユーザのチャンネル切替操作が簡素化し、ユーザの快適性が向上する。また本実施形態では、同一番組を受信する物理チャンネルが複数登録されているか否かを、物理チャンネル間で上記各情報のうち少なくとも２種類以上の情報が一致するか否かによって判定するため、番組の同一性を非常に正確に判断することができる。その結果、実際には番組が異なるにも拘らず少ない情報に基づいて同一番組であると判断してしまい、本来選局対象として残しておくべきチャンネルを選局不能に設定してしまう、という不都合が回避される。
【図面の簡単な説明】
【００３８】
【図１】本実施形態にかかるテレビジョンの概略構成の一例を示したブロック図。
【図２】チャンネル設定処理の一例を示したフローチャート。
【図３】チャンネルマップデータの一例を示した図。
【図４】チャンネル設定処理の他の例を示したフローチャート。
【図５】チャンネルマップデータの他の例を示した図。
【符号の説明】
【００３９】
１０…アンテナ
２０…チューナ部
３０…アナログデコード部
４０…デモジュレータ部
５０…デマルチプレックス部
６０…デコード部
７０…スケーラ
８０…マイクロコンピュータ
９０…記憶媒体
１００…外部信号受信部
１１０…テレビジョン
１２０…ディスプレイ
【図１】
2008306629.tif 000003
【図２】
2008306629.tif 000004
【図３】
2008306629.tif 000005
【図４】
2008306629.tif 000006
【図５】
2008306629.tif 000007